(57)【要約】【課題】  各卸が独自に設定した納入先施設コードが付与された販売実績データが、メーカーごとに集計されて各メーカーに送信される流通分野において、各メーカーにおける納入先施設の特定作業の負担を軽減することを課題とする。【解決手段】  各納入先施設に付与した標準施設コードとその施設について卸が付与した個別施設コード及びその卸の識別情報とを対応付けた施設コード対応表を備え、卸が作成した販売実績データに記録されている個別施設コードとその卸の識別情報に基づき、前記対応表から標準施設コードを検索する。そして、この標準検索コードを販売実績データに付加してメーカーに送信する。施設コード対応表から標準施設コードを検索できなかったときは、所定の特定処理または新規登録処理を行い、標準施設コードを付加する。【選択図】    図５
2010079358.tif 000002
【特許請求の範囲】
【請求項１】
卸を介して施設に販売した製品の販売実績データをメーカーに送信する販売実績データ処理システムであって、
各納入先施設に付与した標準施設コードとその施設について卸が付与した個別施設コード及びその卸の識別情報とを対応付けた施設コード対応表を記憶した対応表記憶手段と、
卸の識別情報とその卸が付与した納入先施設の個別施設コードとを含むメーカー別の販売実績データを受信する販売実績データ受信手段と、
該受信手段で受信した販売実績データに含まれた個別施設コードと卸の識別情報とに対応する標準施設コードを前記施設コード対応表から検索する標準施設コード検索手段と、
該検索手段で検索された標準施設コードを当該販売実績データに付加して送信用販売実績データを作成する送信用販売実績データ作成手段と、
該作成手段で作成された送信用販売実績データを当該メーカーに送信する販売実績データ送信手段と、
を有することを特徴とする販売実績データ処理システム。
【請求項２】
前記請求項1に記載の販売実績データ処理システムにおいて、
各納入先施設について標準施設コードと属性情報とを記録した標準施設マスターを記憶したマスター記憶手段と、
前記標準施設コード検索手段で当該販売実績データに含まれた個別施設コードと卸の識別情報とに対応する標準施設コードが検索されなかったときに、その販売実績データに含まれている施設の属性情報と同一または類似の属性情報を有する施設を前記標準施設マスターから抽出する候補施設抽出手段と、
該抽出手段で抽出された候補施設を表示する候補施設表示手段と、
前記販売実績データに係る施設として前記表示手段で表示された候補施設の一つを選択するための施設選択手段と、
該選択手段で候補施設の一つが選択されたときに、その候補施設の前記標準施設マスターに記録されている標準施設コードを前記販売実績データに係る施設の標準施設コードに決定する標準施設コード決定手段と、
該決定手段で決定された標準施設コードと前記販売実績データに含まれた個別施設コード及び卸の識別情報とを対応付けるように前記施設コード対応表を更新する対応表更新手段とを有し、
前記送信用販売実績データ作成手段は、前記標準施設コード決定手段で決定された標準施設コードを前記販売実績データに付加して送信用販売実績データを作成することを特徴とする販売実績データ処理システム。
【請求項３】
前記請求項２に記載の販売実績データ処理システムにおいて、
前記候補施設抽出手段で当該販売実績データに含まれている施設の属性情報と同一または類似の属性情報を有する候補施設が抽出されなかったときに、その施設の標準施設コードを新たに設定するための標準施設コード設定手段と、
該設定手段で設定された標準施設コードとその施設の属性情報とを前記標準施設マスターに書き込むマスター更新手段とを有し、
前記対応表更新手段は、前記標準施設コード設定手段により新たに標準施設コードが設定されたときに、その標準施設コードと前記販売実績データに含まれた個別施設コード及び卸の識別情報とを対応付けるように前記施設コード対応表を更新し、かつ、
前記送信用販売実績データ作成手段は、前記標準施設コード設定手段で設定された標準施設コードを前記販売実績データに付加して送信用販売実績データを作成することを特徴とする販売実績データ処理システム。
【請求項４】
前記請求項３に記載の販売実績データ処理システムにおいて、
販売実績管理用サーバーコンピュータと、納入先施設管理用サーバーコンピュータとを備え、
前記施設コード対応表を記憶した対応表記憶手段、販売実績データ受信手段、標準施設コード検索手段、送信用販売実績データ作成手段、販売実績データ送信手段、及び対応表更新手段を前記販売実績管理用サーバーコンピュータに設け、
前記標準施設マスターを記憶したマスター記憶手段、候補施設抽出手段、候補施設表示手段、施設選択手段、標準施設コード決定手段、標準施設コード設定手段、及びマスター更新手段を前記納入先施設管理用サーバーコンピュータに設け、かつ、
前記販売実績管理用サーバーコンピュータと納入先施設管理用サーバーコンピュータに、標準施設コード検索手段で標準施設コードが検索されなかった販売実績データを前者のコンピュータから後者のコンピュータへ、標準施設コード決定手段または標準施設コード設定手段で決定または設定された標準施設コードを後者のコンピュータから前者のコンピュータへ、それぞれ転送するデータ入出力手段が備えられていることを特徴とする販売実績データ処理システム。
【請求項５】
卸を介して施設に販売した製品の販売実績データをメーカーに送信する販売実績データ処理プログラムであって、
コンピュータを、
各納入先施設に付与した標準施設コードとその施設について卸が付与した個別施設コード及びその卸の識別情報とを対応付けた施設コード対応表を記憶した対応表記憶手段、
卸の識別情報とその卸が付与した納入先施設の個別施設コードとを含むメーカー別の販売実績データを受信する販売実績データ受信手段、
該受信手段で受信した販売実績データに含まれた個別施設コードと卸の識別情報とに対応する標準施設コードを前記施設コード対応表から検索する標準施設コード検索手段、
該検索手段で検索された標準施設コードを当該販売実績データに付加して送信用販売実績データを作成する送信用販売実績データ作成手段、及び、
該作成手段で作成された送信用販売実績データを当該メーカーに送信する販売実績データ送信手段
として機能させることを特徴とする販売実績データ処理プログラム。
【請求項６】
前記請求項５に記載の販売実績データ処理用プログラムにおいて、
コンピュータを、
各納入先施設について標準施設コードと属性情報とを記録した標準施設マスターを記憶したマスター記憶手段、
前記標準施設コード検索手段で当該販売実績データに含まれた個別施設コードと卸の識別情報とに対応する標準施設コードが検索されなかったときに、その販売実績データに含まれている施設の属性情報と同一または類似の属性情報を有する施設を前記標準施設マスターから抽出する候補施設抽出手段、
該抽出手段で抽出された候補施設を表示する候補施設表示手段、
前記販売実績データに係る施設として前記表示手段で表示された候補施設の一つを選択するための施設選択手段、
該選択手段で候補施設の一つが選択されたときに、その候補施設の前記標準施設マスターに記録されている標準施設コードを前記販売実績データに係る施設の標準施設コードに決定する標準施設コード決定手段、及び、
該決定手段で決定された標準施設コードと前記販売実績データに含まれた個別施設コード及び卸の識別情報とを対応付けるように前記施設コード対応表を更新する対応表更新手段として機能させ、かつ、
前記送信用販売実績データ作成手段として機能させるときは、前記標準施設コード決定手段で決定された標準施設コードを前記販売実績データに付加して送信用販売実績データを作成するように機能させることを特徴とする販売実績データ処理プログラム。
【請求項７】
前記請求項６に記載の販売実績データ処理用プログラムにおいて、
コンピュータを、
前記候補施設抽出手段で当該販売実績データに含まれている施設の属性情報と同一または類似の属性情報を有する候補施設が抽出されなかったときに、その施設の標準施設コードを新たに設定するための標準施設コード設定手段、及び、
該設定手段で設定された標準施設コードとその施設の属性情報とを前記標準施設マスターに書き込むマスター更新手段として機能させ、かつ、
前記対応表更新手段として機能させるときは、前記標準施設コード設定手段により新たに標準施設コードが設定されたときに、その標準施設コードと前記販売実績データに含まれた個別施設コード及び卸の識別情報とを対応付けるように前記施設コード対応表を更新するように機能させ、
前記送信用販売実績データ作成手段として機能させるときは、前記標準施設コード設定手段で設定された標準施設コードを前記販売実績データに付加して送信用販売実績データを作成するように機能させることを特徴とする販売実績データ処理プログラム。
【発明の詳細な説明】
【技術分野】
【０００１】
本発明は、例えば医薬品の流通分野で用いられる販売実績データの処理システム及び処理プログラムに関し、コンピュータを用いたデータ管理技術の分野に属する。
【背景技術】
【０００２】
医薬品の流通過程では、薬の開発、製造を行う医薬品メーカーのＭＲ、即ち医薬品の専門知識を備えた営業担当者が病院や薬局等の医薬品の納入先施設への売込活動を行う一方、施設からの受注や施設への納品等は専門の卸を通して行うのが通例であり、その販売実績データがメーカーにフィードバックされ、そのフィードバック情報がメーカーにおける需要動向の把握や、ＭＲの実績評価に活用される。
【０００３】
その場合に、特許文献1には、販売実績データに基づき、コンピュータを用いて卸への納入量を決定することにより、卸における在庫量を適切に維持するようにしたシステムが開示されている。
【０００４】
ところで、医薬品メーカーは、例えば地域ごとに異なる卸を利用して自社の製品を販売し、また、卸も複数のメーカーの製品を扱うので、注文データ、納品データ或いは販売実績データ等の各種の情報のやり取りが複数の卸と複数のメーカーとの間で錯綜して行われることになり、その管理が極めて煩雑なものとなっていた。
【０００５】
そこで、近年、このデータ管理を簡素化するために、医薬品業界専用のＶＡＮ（付加価値通信網）が設立され、運用されている。このＶＡＮは、販売実績データをメーカーにフィードバックする機能として、各卸から送信される各施設への販売実績データをメーカーごとに取りまとめ、これを定期的にそれぞれのメーカーへ送信する機能を備えている。これにより、メーカーは、自社の製品が、どの卸を経由してどの施設にどれだけ販売されたかの情報を定期的に受け取ることが可能となる。
【０００６】
【特許文献１】特開２００４−２０６７００号公報
【発明の開示】
【発明が解決しようとする課題】
【０００７】
しかし、近年、この種の専用通信網を用いても解消できない課題が顕在化しつつある。つまり、卸はできるだけ多数の施設との取引を目指すので、同一の施設に同一医薬品メーカーの製品が複数の卸を経由して納入されることになり、したがって、メーカーには、同一施設への販売実績データが異なる卸からフィードバックされることになる。
【０００８】
その場合、各卸は納入先施設を特定するためのコード体系を独自に開発して利用しているため、メーカーには、同一施設に対する販売実績データが異なる施設コードを付与されてフィードバックされることになる。そのため、メーカーは、各卸の施設コードがどの施設を示すかを卸ごとに記録した施設管理マスターを用意し、卸から販売実績データを入手したときに、前処理として、卸が独自に付与した施設コードから実際に販売した施設を特定する作業が必要となっていた。
【０００９】
特に、卸が新規開設された施設に販売した場合において、その卸がその施設に新たなコードを付与して販売実績データをフィードバックしてきた場合、メーカーにおいては、自身が管理する施設管理マスターにそのコードが存在しないため、卸に問い合わせてその施設に関する名称や住所等の情報を聞き出し、その情報を新たなコードと共に施設管理マスターに記録しなければならないことになる。
【００１０】
また、ある卸による販売実績が既にあって、当該施設に関する情報がメーカーの施設管理マスターに登録されている場合であっても、他の卸が初めてその施設に販売したときには、その卸が新たに設定した施設コードが付与されて取引実績データがフィードバックされるので、メーカーは、その施設に関する情報が施設管理マスターに既に登録されているにも拘わらず、前記の新規開設の場合と同様に、納入先施設を特定するための作業が必要となるのである。
【００１１】
そして、この問題は、近年、ドラッグストアチェーンの出現などにより施設の新規開設が頻繁に発生し、或いは営業競争の激化により各卸の新規納入施設が増大する中で、顕著な問題となりつつある。
【００１２】
そこで、本発明は、上記の医薬品の流通分野のように、各卸が独自に設定した施設コードが付与された販売実績データが、メーカーごとに集計されて各メーカーに送信される場合に、各メーカーにおける納入先施設の特定作業の負担、及びその特定のための施設管理マスターのメインテナンスの負担を軽減することを課題とする。
【課題を解決するための手段】
【００１３】
前記課題を解決するため、本発明は次のように構成したことを特徴とする。
【００１４】
まず、本願の請求項1に記載の発明は、卸を介して施設に販売した製品の販売実績データをメーカーに送信する販売実績データ処理システムに関するものであって、各納入先施設に付与した標準施設コードとその施設について卸が付与した個別施設コード及びその卸の識別情報とを対応付けた施設コード対応表を記憶した対応表記憶手段と、卸の識別情報とその卸が付与した納入先施設の個別施設コードとを含むメーカー別の販売実績データを受信する販売実績データ受信手段と、該受信手段で受信した販売実績データに含まれた個別施設コードと卸の識別情報とに対応する標準施設コードを前記施設コード対応表から検索する標準施設コード検索手段と、該検索手段で検索された標準施設コードを当該販売実績データに付加して送信用販売実績データを作成する送信用販売実績データ作成手段と、該作成手段で作成された送信用販売実績データを当該メーカーに送信する販売実績データ送信手段と、を有することを特徴とする。
【００１５】
次に、請求項２に記載の発明は、前記請求項1に記載の販売実績データ処理システムにおいて、各納入先施設について標準施設コードと属性情報とを記録した標準施設マスターを記憶したマスター記憶手段と、前記標準施設コード検索手段で当該販売実績データに含まれた個別施設コードと卸の識別情報とに対応する標準施設コードが検索されなかったときに、その販売実績データに含まれている施設の属性情報と同一または類似の属性情報を有する施設を前記標準施設マスターから抽出する候補施設抽出手段と、該抽出手段で抽出された候補施設を表示する候補施設表示手段と、前記販売実績データに係る施設として前記表示手段で表示された候補施設の一つを選択するための施設選択手段と、該選択手段で候補施設の一つが選択されたときに、その候補施設の前記標準施設マスターに記録されている標準施設コードを前記販売実績データに係る施設の標準施設コードに決定する標準施設コード決定手段と、該決定手段で決定された標準施設コードと前記販売実績データに含まれた個別施設コード及び卸の識別情報とを対応付けるように前記施設コード対応表を更新する対応表更新手段とを有し、前記送信用販売実績データ作成手段は、前記標準施設コード決定手段で決定された標準施設コードを前記販売実績データに付加して送信用販売実績データを作成することを特徴とする。
【００１６】
次に、請求項３に記載の発明は、前記請求項２に記載の販売実績データ処理システムにおいて、前記候補施設抽出手段で当該販売実績データに含まれている施設の属性情報と同一または類似の属性情報を有する候補施設が抽出されなかったときに、その施設の標準施設コードを新たに設定するための標準施設コード設定手段と、該設定手段で設定された標準施設コードとその施設の属性情報とを前記標準施設マスターに書き込むマスター更新手段とを有し、前記対応表更新手段は、前記標準施設コード設定手段により新たに標準施設コードが設定されたときに、その標準施設コードと前記販売実績データに含まれた個別施設コード及び卸の識別情報とを対応付けるように前記施設コード対応表を更新し、かつ、前記送信用販売実績データ作成手段は、前記標準施設コード設定手段で設定された標準施設コードを前記販売実績データに付加して送信用販売実績データを作成することを特徴とする。
【００１７】
そして、請求項４に記載の発明は、前記請求項３に記載の販売実績データ処理システムにおいて、販売実績管理用サーバーコンピュータと、納入先施設管理用サーバーコンピュータとを備え、前記施設コード対応表を記憶した対応表記憶手段、販売実績データ受信手段、標準施設コード検索手段、送信用販売実績データ作成手段、販売実績データ送信手段、及び対応表更新手段を前記販売実績管理用サーバーコンピュータに設け、前記標準施設マスターを記憶したマスター記憶手段、候補施設抽出手段、候補施設表示手段、施設選択手段、標準施設コード決定手段、標準施設コード設定手段、及びマスター更新手段を前記納入先施設管理用サーバーコンピュータに設け、かつ、前記販売実績管理用サーバーコンピュータと納入先施設管理用サーバーコンピュータに、標準施設コード検索手段で標準施設コードが検索されなかった販売実績データを前者のコンピュータから後者のコンピュータへ、標準施設コード決定手段または標準施設コード設定手段で決定または設定された標準施設コードを後者のコンピュータから前者のコンピュータへ、それぞれ転送するデータ入出力手段が備えられていることを特徴とする。
【００１８】
一方、請求項５に記載の発明は、卸を介して施設に販売した製品の販売実績データをメーカーに送信する販売実績データ処理プログラムに関するものであって、コンピュータを、各納入先施設に付与した標準施設コードとその施設について卸が付与した個別施設コード及びその卸の識別情報とを対応付けた施設コード対応表を記憶した対応表記憶手段、卸の識別情報とその卸が付与した納入先施設の個別施設コードとを含むメーカー別の販売実績データを受信する販売実績データ受信手段、該受信手段で受信した販売実績データに含まれた個別施設コードと卸の識別情報とに対応する標準施設コードを前記施設コード対応表から検索する標準施設コード検索手段、該検索手段で検索された標準施設コードを当該販売実績データに付加して送信用販売実績データを作成する送信用販売実績データ作成手段、及び、該作成手段で作成された送信用販売実績データを当該メーカーに送信する販売実績データ送信手段として機能させることを特徴とする。
【００１９】
次に、請求項６に記載の発明は、前記請求項５に記載の販売実績データ処理プログラムにおいて、コンピュータを、各納入先施設について標準施設コードと属性情報とを記録した標準施設マスターを記憶したマスター記憶手段、前記標準施設コード検索手段で当該販売実績データに含まれた個別施設コードと卸の識別情報とに対応する標準施設コードが検索されなかったときに、その販売実績データに含まれている施設の属性情報と同一または類似の属性情報を有する施設を前記標準施設マスターから抽出する候補施設抽出手段、該抽出手段で抽出された候補施設を表示する候補施設表示手段、前記販売実績データに係る施設として前記表示手段で表示された候補施設の一つを選択するための施設選択手段、該選択手段で候補施設の一つが選択されたときに、その候補施設の前記標準施設マスターに記録されている標準施設コードを前記販売実績データに係る施設の標準施設コードに決定する標準施設コード決定手段、及び、該決定手段で決定された標準施設コードと前記販売実績データに含まれた個別施設コード及び卸の識別情報とを対応付けるように前記施設コード対応表を更新する対応表更新手段として機能させ、かつ、前記送信用販売実績データ作成手段として機能させるときは、前記標準施設コード決定手段で決定された標準施設コードを前記販売実績データに付加して送信用販売実績データを作成するように機能させることを特徴とする。
【００２０】
そして、請求項７に記載の発明は、前記請求項６に記載の販売実績データ処理プログラムにおいて、コンピュータを、前記候補施設抽出手段で当該販売実績データに含まれている施設の属性情報と同一または類似の属性情報を有する候補施設が抽出されなかったときに、その施設の標準施設コードを新たに設定するための標準施設コード設定手段、及び、該設定手段で設定された標準施設コードとその施設の属性情報とを前記標準施設マスターに書き込むマスター更新手段として機能させ、かつ、前記対応表更新手段として機能させるときは、前記標準施設コード設定手段により新たに標準施設コードが設定されたときに、その標準施設コードと前記販売実績データに含まれた個別施設コード及び卸の識別情報とを対応付けるように前記施設コード対応表を更新するように機能させ、前記送信用販売実績データ作成手段として機能させるときは、前記標準施設コード設定手段で設定された標準施設コードを前記販売実績データに付加して送信用販売実績データを作成するように機能させることを特徴とする。
【発明の効果】
【００２１】
上記のように構成したことにより、各請求項の発明によれば、次の効果が得られる。
【００２２】
まず、請求項１に記載の発明によれば、販売実績データ受信手段がメーカー別の販売実績データを受信したときに、標準施設コード検索手段により、そのデータに含まれている卸が独自に付与した個別施設コードとその卸の識別情報とに対応する標準施設コードが施設コード対応表から検索され、該標準施設コードが前記個別施設コードに代え或いは個別施設コードと共に当該販売実績データに書き込まれて送信用販売実績データが作成される。
【００２３】
そして、販売実績データ送信手段により、この送信用販売実績データがメーカーに送信されることにより、メーカーにおいては、該データに含まれている標準施設コードを読み取るだけで納入先施設を特定することができ、卸の識別情報とその卸が付与した個別施設コードの両者を参照して施設を特定していた場合に比べて、納入先施設の特定作業が容易化され、また、各メーカーで管理される施設管理マスターが簡素化され、そのメインテナンスも簡略化されることになる。
【００２４】
また、請求項２に記載の発明によれば、標準施設コード検索手段により、当該販売実績データに係る個別施設コードとそのコードを付与した卸の識別情報とに対応する標準施設コードが検索されなかったときに、その販売実績データに含まれている納入先施設の属性情報に基づいて、標準施設マスターから、その施設と同一または類似の属性情報を有する施設が特定のための候補施設として抽出され、表示されることになる。
【００２５】
そして、施設選択手段により、候補施設のいずれか一つ（候補施設が一つしか表示されなかったときは、その候補施設）が前記販売実績データに係る施設として選択されれば、選択された候補施設について前記標準施設マスターに記憶されている標準施設コードが販売実績データに係る施設の標準施設コードに決定され、この標準施設コードを付した販売実績データがメーカーに送信されることになる。
【００２６】
したがって、例えば、ある卸による販売実績が既にあって、当該施設に関する情報がメーカーにおける施設管理マスターに既に登録されている場合には、今回の販売実績が異なる卸による当該施設への初めての実績であった場合でも、メーカーにおいては標準施設コードを読み取るだけで納入先施設を特定することができ、従来のように、他の卸が付与した個別施設コードが施設管理マスターに既に登録されているにも拘わらず、今回の卸が付与した個別施設コードが登録されていないため、問い合わせ等の納入先施設確認作業を必要としていた場合に比較して、メーカーにおける納入先特定作業が著しく簡略化されることになる。
【００２７】
そして、今回の販売実績に係る卸が付与した個別施設コードとその卸の識別情報とが当該標準施設コードに対応付けられるように施設コード対応表が更新されるので、次回からは、その卸からの当該施設に関する販売実績データは、前述の候補施設からの選択作業を要することなく、標準施設コードが付与されることになる。
【００２８】
さらに、請求項３に記載の発明によれば、当該販売実績データに係る個別施設コードとそのコードを付与した卸の識別情報とに対応する標準施設コードが施設コード対応表から検索されず、しかも、標準施設マスターを検索しても、当該施設の属性情報と同一または類似の属性情報を有する候補施設が抽出されなかったときに、標準施設コード設定手段により、その施設の標準施設コードが新たに設定され、この標準施設コードを付与した販売実績データがメーカーに送信されることになる。
【００２９】
したがって、例えば、当該施設が新規開設された場合であって、その施設に関する情報が標準施設マスターに登録されていない場合にも、新たな標準施設コードが付与された販売実績データがメーカーに送信されるので、メーカーにおいては、そのデータに含まれる当該施設についての属性情報と標準施設コードとを施設管理マスターに新たなレコードとして追加しておけば、次回からは標準施設コードを読み取るだけで、その施設の特定が可能となる。
【００３０】
その場合に、標準施設コードは卸に関する情報を含んでいないので、施設管理マスターに一度登録しておくだけで、次回からはいずれの卸による販売実績であるかに拘わらず、直ちに納入先施設を特定することが可能となる。
【００３１】
また、当該システム側においても、今回の販売実績に係る卸が付与した個別施設コードとその卸の識別情報とが新たに設定された標準施設コードに対応付けられて施設コード対応表に記録されると共に、その標準施設コードとその施設の属性情報とが標準施設マスターに書き加えられるので、その施設についての次回からの販売実績データについては、施設コード対応表に基づいて、或いは候補施設からの選択により、確実に標準施設コードが付与されることになる。
【００３２】
そして、請求項４に記載の発明によれば、当該システムが販売実績管理用サーバーコンピュータと、納入先施設管理用サーバーコンピュータとを用いて構成され、それぞれのコンピュータに機能が分担されるので、当該システムの運営、管理が簡素化されることになる。
【００３３】
一方、請求項５〜７に記載の発明によれば、これらの発明に係るプログラムをコンピュータで稼動させることにより、請求項１〜３に記載のシステムについての前記効果がそれぞれ達成されることになる。
【発明を実施するための最良の形態】
【００３４】
以下、本発明に係る販売実績データ処理システムを医薬品の流通分野に適用した実施形態について説明する。
【００３５】
図１は、医薬品の流通システムにおける販売実績データの流れを説明するもので、各卸ｗ１、ｗ２、ｗ３…は、納入先施設ａ、ｂ、ｃ…に販売した医薬品の販売実績データを、自らの卸コード及び各施設について独自に設定した個別施設コードを付して医薬品メーカー別に作成し、専用通信網ｖ１、ｖ２…のいずれかに送信する。この通信網ｖ１、ｖ２…は、各卸からの販売実績データを受信し、その内容をメーカー別に集計してメーカー別販売実績データを作成し、これを送信する機能を備えている。
【００３６】
そして、本発明に係る販売実績データ処理システム１０は、前記専用通信網ｖ１、ｖ２…からメーカー別販売実績データを定期的に（例えば、1日1回）受信し、これに所定の標準化処理を施した上で、該当する医薬品メーカーｘ、ｙ、ｚ…に送信する。
【００３７】
前記販売実績データ処理システム１０は、図２に示すように、販売実績データ管理用サーバーコンピュータ（以下、「販売実績管理サーバー」という）２０と、納入先施設管理用サーバーコンピュータ（以下、「施設管理サーバー」という）３０とを備えている。
【００３８】
販売実績管理サーバー２０は、中央処理装置２１を中として、前記専用通信網ｖ１、ｖ２…からのメーカー別販売実績データを受信する受信装置２２と、プログラムと各種のデータを記憶した記憶装置２３と、薬品メーカーｘ、ｙ、ｚ…にそのメーカーの製造に係る医薬品についての処理済み販売実績データを送信する送信装置２４と、施設管理サーバー３０との間でデータを転送し合うための入出力装置２５とを有する。
【００３９】
また、施設管理サーバー３０は、中央処理装置３１を中として、販売実績管理サーバー２０との間でデータを転送し合うための入出力装置３２と、プログラムと各種のデータを記憶した記憶装置３３と、オペレータによる操作のための表示装置３４及び入力装置３５とを有する。
【００４０】
前記販売実績管理サーバー２０の記憶装置２３は、図３に示すように、該サーバー２０の動作を制御するプログラム２３ａと、データベースとしての施設コード対応表２３ｂと、各種のデータを記録するための受信データテーブル２３ｃ、送信データテーブル２３ｄ、及びエラーデータテーブル２３ｅとを備えている。
【００４１】
また、前記施設管理サーバー３０の記憶装置３３は、図４に示すように、該サーバー３０の動作を制御するプログラム３３ａと、データベースとしての標準施設マスター３３ｂと、更新用のデータを記録するための更新データテーブル３３ｃとを備えている。
【００４２】
前記施設コード対応表２３ｂは、図５に示すように、過去にいずれかの卸を通じて販売実績がある納入先施設について、各卸ｗ１、ｗ２…が独自に設定した個別施設コードと、その施設について当該システムが付与した標準施設コードとを対応させて記憶するようになっている。
【００４３】
前記受信データテーブル２３ｃは、図６に示すように、前記専用通信網ｖ１、ｖ２…から受信した販売実績データをメーカー別にそのまま保管するもので、各メーカー用テーブルに、卸の識別情報としての卸コードと、納入先施設に関する情報としての個別施設コード、名称、住所及び電話番号と、販売した商品のコード及び数量等を記録するようになっている。
【００４４】
ここで、図６に示す受信データテーブル２３ｃは、複数の通信網ｖ１、ｖ２…から販売実績データを受信したときには、各通信網ｖ１、ｖ２…からのデータをメーカー別に集計したものを記録することになる。
【００４５】
また、前記送信データテーブル２３ｄは、図７に示すように、本システムで標準化処理した後の販売実績データをメーカー別に保管するもので、前記受信データテーブル２３ｃと同様に、各メーカー用テーブルに、卸コードと、納入先施設に関する情報としての個別施設コード、名称、住所、電話番号と、販売した商品のコード及び数量等とを記録し、加えて、その施設の標準施設コードを記録するようになっている。
【００４６】
さらに、前記エラーデータテーブル２３ｅは、図８に示すように、販売実績管理サーバー２０によって標準施設コードを付与できなかったデータを各メーカー別の販売実績データから抽出、集計し、エラーデータとして保管するもので、卸コードと、納入先施設に関する情報としての個別施設コード、名称、住所、電話番号とを記録するようになっている。
【００４７】
一方、施設管理サーバー３０の記憶装置３３に設けられた標準施設マスター３３ｂは、図９に示すように、各施設について、標準施設コードとその施設の属性情報としての名称、住所、電話番号が記録されている。
【００４８】
また、更新データテーブル３３ｃは、図１０に示すように、前記エラーデータについて、卸コードと個別施設コードに加えて、施設管理サーバー３０によって付与された標準施設コードを記録するようになっている。
【００４９】
以上の構成により、本システム１０は、専用通信網ｖ１、ｖ２…から受信したメーカー別の販売実績データに所定の標準化処理を施し、該当する医薬品メーカーｘ、ｙ、ｚ…に送信するようになっており、次に、その処理の具体的動作をフローチャートに従って説明する。
【００５０】
図１１に示すフローチャートは、販売実績管理サーバー２０が専用通信網から受信したメーカー別の販売実績データを処理する動作を示すもので、販売実績管理プログラム２３ａが起動すれば、まず、ステップＳ１１で、専用通信網からメーカー別の販売実績データを受信し、ステップＳ１２で、受信した販売実績データを、図６に示すように受信データテーブル２３ｃにメーカー別に記録する。その場合に、複数の専用通信網ｖ１、ｖ２…からデータを受信したときには、各通信網ｖ１、ｖ２…からのデータをメーカー別に集計し、受信データテーブル２３ｃに記録する。
【００５１】
次に、ステップＳ１３で、受信データテーブル２３ｃに記録した販売実績データの各レコードについて、卸コードと納入先施設のコード（個別施設コード）とを読み取り、この卸コードと個別施設コードのペアをキーとして、図５に示す施設コード対応表２３ｂから、そのペアに対応する標準コードを検索する。
【００５２】
つまり、図６に示す例では、Ｘ薬品工業用テーブルの最初のレコード（符号ア）から卸コードＷ０１と施設コード０００１とを読み取り、図５の施設コード対応表２３ｂの卸コードＷ０１の卸、即ちＷ１商店の列から個別施設コード０００１を検索する。この例では、Ｗ１商店は、既に個別施設コード０００１のＡ薬局に販売した実績があるので、対応表２３ｂに個別施設コード０００１が記録されている。
【００５３】
そこで、前記対応表２３ｂからその個別施設コード０００１に対応する標準施設コードＨ９００１を読み取り、次に、この場合はステップＳ１４から次にステップＳ１５に進み、読み取った標準施設コードＨ９００１を当該レコードに付加して送信用の販売実績データを作成する。そして、これを図７に示すメーカー別の送信データテーブル２３ｄに記録する（符号イ）。
【００５４】
このようにして、受信データテーブル２３ｃの各レコードについて、卸コードと個別施設コードとに対応する標準施設コードを施設コード対応表２３ｂから検索し、卸コードと個別施設コードのペアが存在し、そのペアに対応する標準施設コードが存在すれば、ステップＳ１５で、その標準施設コードを付加した販売実績データを作成し、メーカー別の送信データテーブル２３ｄに記録する。
【００５５】
一方、図６の受信データテーブル２３ｃに記録された卸コードＷ０１、個別施設コード０００３のレコード（符号ウ）については、図５の施設コード対応表２３ｂのＷ１商店の列に個別施設コード０００３が記録されておらず、したがって、この対応表２３ｂからは標準施設コードを特定できないことになる。
【００５６】
この場合は、ステップＳ１４からステップＳ１６に進み、このレコードをエラーデータとして、卸コード、個別施設コード、及び名称等の当該施設の属性情報を図８に示すエラーデータテーブル２３ｅに記録する（符号エ）。
【００５７】
同様に、受信データテーブル２３ｃのＸ薬品工業用テーブルに記録された卸コードＷ０２、個別施設コード１００１のレコード（符号オ）、卸コードＷ０２、個別施設コード１００３のレコード（符号カ）、Ｙ製薬用テーブルの卸コードＷ０１、個別施設コード０００３のレコード（符号キ）、卸コードＷ０２、個別施設コード１００１のレコード（符号ク）、及び卸コードＷ０２、個別施設コード１００３のレコード（符号ケ）も、施設コード対応表２３ａの当該卸の列に該当する個別識別データが存在せず、エラーデータとして図８に示すエラーデータテーブル２３ｅに記録される。
【００５８】
その場合に、図６の受信データテーブル２３ｃのＸ薬品工業のテーブルの符号ウで示すレコードと、Ｙ製薬のテーブルの符号キで示すレコードは、いずれも卸コードがＷ０１、個別施設コードが０００３で同一であるから、これらはまとめて一つのエラーデータとし、図８のエラーデータテーブル２３ｅに記録する（符号エ）。
【００５９】
同様に、受信データテーブル２３ｃのＸ薬品工業のテーブルの符号オで示すレコードと、Ｙ製薬のテーブルの符号クで示すレコードは、いずれも卸コードがＷ０２、個別施設コードが１００１で同一であるから、一つのエラーデータとして、図８のエラーデータテーブル２３ｅに記録する（符号コ）。さらに、受信データテーブル２３ｃのＸ薬品工業のテーブルの符号カで示すレコードと、Ｙ製薬のテーブルの符号ケで示すレコードは、いずれも卸コードがＷ０２、個別施設コードが１００３で同一であるから、一つのエラーデータとして、図８のエラーデータテーブル２３ｅに記録する（符号サ）。
【００６０】
以上のようにして、販売実績管理サーバー２０は、受信データテーブル２３ｃの全レコードについて、卸コードと個別施設コードとに対応する標準施設コードを施設コード対応表２３ｂから検索し、卸コードと個別施設コードのペアが存在すれば、そのペアに対応する標準施設コードを当該レコードに付加して送信用の販売実績データを作成し、メーカー別に送信データテーブル２３ｄに順次記録する。これに対して、卸コードと個別施設コードのペアが存在しない場合は、当該レコードをエラーデータとして、同一ペアのものをまとめた上で、エラーテーブル２３ｅに順次記録する。
【００６１】
そして、標準施設コードを付加した送信用の販売実績データを作成して送信データテーブル２３ｄに記録したときは、図１１のフローチャートのステップＳ１７で、その標準施設コード付きの販売実績データを当該メーカーに送信する。また、エラーデータを集計してエラーテーブル２３ｅに記録したときは、ステップＳ１８で、そのエラーデータを施設管理サーバー３０に出力する。
【００６２】
図１２に示すフローチャートは、販売実績管理サーバー２０から前記エラーデータを入力したときの施設管理サーバー３０の動作を示すもので、施設管理プログラム３３ａが起動すれば、まず、ステップＳ２１で、前記エラーデータを入力し、次にステップＳ２２で、エラーデータの各レコードについて、記録されている施設の属性情報と同一または類似の属性情報を有する施設を図９に示す標準施設マスター３３ｂから検索する。
【００６３】
そして、エラーデータに記録されている施設の属性情報と同一または類似の属性情報を有する施設が標準施設マスター３３ｂから検索されれば、ステップＳ２３からステップＳ２４に進み、その施設を特定のための候補施設として、施設管理サーバー３０の表示装置３４に表示する。
【００６４】
一方、エラーデータに記録されている施設の属性情報と同一または類似の属性情報を有する施設が標準施設マスター３３ａに登録されていなかった場合には、ステップＳ２３からステップＳ２５に進み、前記表示装置３４に「候補施設なし」と表示する。
【００６５】
ここで、図８に示すエラーデータの例の場合、Ｃ病院についての符号エで示すレコード及び符号サで示すレコードについては、図９の標準施設マスター３３ｂに同一または類似の属性情報を有する施設としてＣ病院及びＣ′病院が登録されており、図１３に示すように、これらの施設が表示装置３４の画面３４ａに特定のための候補施設として表示される。
【００６６】
これに対し、図８に符号コで示すＤ薬局のレコードについては、標準施設マスター３３ｂに同一または類似の属性情報を有する施設が記録されておらず、図１３に示すように、表示装置３４の画面３４ａ「候補施設なし」と表示される。
【００６７】
表示装置３４の画面３４ａに候補施設が表示されたレコードについては、各候補のうちから当該レコードに記録されている属性と同一のものを選択し、同一のものが存在しない場合は、最も属性が類似したものを選択する。この選択操作は、オペレータにより表示装置３４の画面３４ａに表示された特定のための選択ボタン３４ｂを操作することにより行われる。
【００６８】
図例の場合、Ｃ病院は、エラーデータに係るＷ１商店、及びＷ２商事による過去の販売実績はなかったものの、他の卸（図５に示すＷ３商会）による販売実績があったので、既に標準施設マスター３３ｂに登録されており、したがって、候補施設としてそのＣ病院自体が表示されたのである。
【００６９】
したがって、オペレータによる選択操作により、エラーデータのＣ病院は標準施設マスター３３ｂに登録にされているＣ病院であると特定され、図１２のフローチャートのステップＳ２６で、該標準施設マスター３３ｂに登録されているＣ病院の標準施設コードＨ９００３が、エラーデータにおけるＣ病院の標準施設コードに決定される。
【００７０】
これに対し、Ｄ薬局は新規開設され、或いは当該システムに係るいずれの卸によっても過去に販売された実績がない薬局であるため、標準施設マスター３３ｂに登録されていなかったものであり、今回Ｗ２商事により初めて販売された施設である。
【００７１】
そこで、このＤ薬局については、ステップＳ２７で、標準施設コード（図例では、Ｈ９００４）を新たに設定すると共に、ステップＳ２８で、このＤ薬局についての標準施設コード及び属性情報を標準施設マスター３３ｂに登録する。この標準施設コードの設定及び標準施設マスター３３ｂへの登録処理は、図１３に示す表示装置３４の画面３４ａに表示された新規登録のためのボタン３４ｃをオペレータが操作することにより行われるが、候補施設なしと判断した時点で、施設管理サーバー３０が自動的に行うようにしてもよい。
【００７２】
以上の処理により、標準施設マスター３３ｂは、図１４に示すように、Ｄ薬局のレコードが追加された状態に更新される。そして、フローチャートのステップＳ２９で、図１０に示すような更新データを作成し、販売実績管理サーバー２０に出力する。
【００７３】
前記例の場合、図８のエラーデータテーブル２３ｅの卸コードＷ０１、個別施設コード０００３のレコード、及び卸コードＷ０２、個別施設コード１００３のレコードに係るＣ病院は、標準施設マスター３３ｂに既に登録されていたので、更新データでは、該マスター３３ｂに登録されていた標準施設コードＨ９００３が付されている。また、エラーデータテーブル２３ｅの卸コードＷ０２、個別施設コード１００１のレコードに係るＤ薬局は、標準施設マスター３３ａに登録されていなかったので、更新データでは、新たに設定された標準施設コードであるＨ９００４が付されている。
【００７４】
次に、この更新データを入力した販売実績管理サーバー２０の動作を、図１５に示すフローチャートに従って説明する。
【００７５】
前記販売実績管理プログラム２３ａが起動すれば、まず、ステップＳ３１で、前記更新データを入力し、次にステップＳ３２で、この更新データに基づいて、図５に示す施設コード対応表２３ｂを更新する。今回の例では、Ｃ病院の標準施設コードＨ９００３に対して、Ｗ１商店が独自に付与した個別施設コード０００３と、Ｗ２商事が独自に付与した個別施設コード１００３とが対応することを追記する。
【００７６】
また、初めての販売実績であったため、施設コード対応表２３ｂにレコードが存在しなかったＤ薬局については、新たに設定した標準施設コードＨ９００４のレコードを追加し、卸コードＷ０２、個別施設コード１００１がこれに対応することを記録する。その結果、施設コード対応表２３ｂは、図１６に示すように更新されることになる。
【００７７】
次に、ステップＳ３３で、図６の受信データテーブル２３ｃに記録された販売実績データのうち、最初の標準施設コード付与の処理でエラーとなった符号ウ、オ、カ、キ、ク、ケで示すレコードについて、改めて施設コード対応表２３ｂを参照し、これらのデータの施設の標準施設コードを検索する。今回は、施設コード対応表２３ｂが図１６に示すように更新されているので、エラーとなった前記レコードについて、全て標準施設コードが検索されることになる。
【００７８】
そこで、ステップＳ３４で、受信データテーブル２３ｃの前記レコードに検索された標準施設コードを付加して追加送信用の販売実績データを作成し、図１７に示すように、メーカー別に送信データテーブル２３ｄに記録する。そして、その後、ステップＳ３５で、該当するメーカーに送信する。
【００７９】
以上により、専用通信網から受信した販売実績データは全て標準施設コードを付加され、該当するメーカーに送信されることになる。したがって、メーカーにおいては、送信された販売実績データの標準施設コードを読み取り、自ら管理する施設管理マスターを参照するだけで、いずれの卸を経由したかに拘わらず、納入先施設を特定することが可能となる。
【００８０】
その場合に、他の卸による販売実績により当該施設の標準施設コードが既に施設管理マスターに登録されていれば、今回、異なる卸によりその施設に初めて販売された場合であっても、直ちに納入先施設を特定することができ、また、施設管理マスターに登録されていない新規開設等の施設の場合にも、その標準施設コードと属性情報とを登録するだけで、販売した卸についての情報を登録する必要はなく、このようにして、メーカーにおける納入先施設の特定作業、及びそのための施設管理マスターのメインテナンス作業が著しく簡素化されることになる。
【００８１】
また、当該システムにおいては、いずれかの卸がいずれかのメーカーの製品を一度販売すれば、販売した施設の標準施設コードが、卸及びメーカーに拘わらず施設に対して一義的に登録されるので、以後、他のメーカーへの送信用販売実績データを作成する場合に、その標準施設コードをそのまま使用することができるというメリットがある。
【００８２】
なお、以上の実施形態においては、施設コード対応表２３ｂとして、図５及び図１６に示すように、標準施設コードと卸とを行及び列の項目とした表形式の対応表を用いたが、これに限らず、卸を識別するための情報とその卸が付与した個別施設コードとをペアとし、そのペアと標準施設コードとを対応付けるものであれば、どのような形式であってもよい。
【００８３】
例えば、図１８に示す施設コード対応表２３ｂ′は、卸コードとその卸が付与した個別施設コードとを結合した複合コードを生成し、この複合コードと標準施設コードとを一組として、新たな組み合わせが発生するごとにレコードを新設するようにしたものである。なお、図１８の対応表２３ｂ′の内容は、図１６に示す前述の更新済み対応表２３ｂの内容と同じである。欄外に示す施設名称は、参考のために付したもので、データとして記録する必要はない。
【産業上の利用可能性】
【００８４】
以上のように、本発明は、各卸により独自に設定された納入先施設コードが付与された販売実績データが、メーカーごとに集計されて各メーカーに送信される流通システムにおいて、各メーカーにおける納入先施設の特定作業の負担及びその特定のためのマスターの管理の負担が軽減されるので、実施形態で説明した医薬品の流通分野に限らず、同種の構造の流通分野において、広く好適に利用される可能性がある。
【図面の簡単な説明】
【００８５】
【図１】本発明が適用される医薬品の流通システムの説明図である。
【図２】本発明の実施形態に係るシステムの構成図である。
【図３】販売実績管理サーバーの記憶装置の構成図である。
【図４】施設管理サーバーの記憶装置の構成図である。
【図５】図３の記憶装置に記憶された施設コード対応表の構成図である。
【図６】同、受信データテーブルの構成図である。
【図７】同、送信データテーブルの構成図である。
【図８】同、エラーデータテーブルの構成図である。
【図９】図４の記憶装置に記憶された標準施設マスターの構成図である。
【図１０】同、更新データテーブルの構成図である。
【図１１】販売実績管理サーバーの販売実績データ受信時の処理を示すフローチャートである。
【図１２】施設管理サーバーのエラーデータ入力時の処理を示すフローチャートである。
【図１３】施設特定画面の概略図である。
【図１４】図９の標準施設マスターの更新後の状態を示す図である。
【図１５】販売実績管理サーバーの更新データ入力時の処理を示すフローチャートである。
【図１６】図５の施設コード対応表の更新後の常態を示す図である。
【図１７】図７の送信データテーブルの追加送信データを記録した状態を示す図である。
【図１８】施設コード対応表の他の例の構成図である。
【符号の説明】
【００８６】
２０                販売実績管理サーバー
２３                記憶装置（施設コード対応表記憶手段）
２３ｂ、２３ｂ′    施設コード対応表
３０                施設管理サーバー
３３                記憶装置（標準施設マスター記憶手段）
３３ｂ              標準施設マスター
【図１】
2010079358.tif 000003
【図２】
2010079358.tif 000004
【図３】
2010079358.tif 000005
【図４】
2010079358.tif 000006
【図５】
2010079358.tif 000007
【図６】
2010079358.tif 000008
【図７】
2010079358.tif 000009
【図８】
2010079358.tif 000010
【図９】
2010079358.tif 000011
【図１０】
2010079358.tif 000012
【図１１】
2010079358.tif 000013
【図１２】
2010079358.tif 000014
【図１３】
2010079358.tif 000015
【図１４】
2010079358.tif 000016
【図１５】
2010079358.tif 000017
【図１６】
2010079358.tif 000018
【図１７】
2010079358.tif 000019
【図１８】
2010079358.tif 000020